(57)【特許請求の範囲】
【請求項１】
軸線を中心にして回転せしめられる駆動ホイールによって、印刷機で枚葉紙又は折り丁を搬送するために設けられたコンベヤベルトのほぼ正弦状の速度変化を生ぜしめるための駆動装置において、
駆動ホイール（４１，４３）が、円形の輪郭形状を有し、偏心的に支承されていて、付加的に非円形の補償ホイール（４４）が設けられており、駆動ホイール（４１，４３）と、補償ホイール（４４）とが、共通の引張手段（３２）によって駆動接続されていることを特徴とする、偏心的な駆動装置。
【請求項２】
前記補償ホイール（４４）が旋回可能であるか又は摺動可能に支承されている、請求項１記載の駆動装置。
【請求項３】
駆動ホイール（３１；３３）が歯付きベルト円板であって、引張手段が歯付きベルト（３２）である、請求項１又は２記載の駆動装置。
【請求項４】
駆動ホイール（３１，３３）がスプロケットであって、引張手段（３２）がチェーンである、請求項１から３までのいずれか１項記載の駆動装置。
【発明の詳細な説明】
【０００１】
【発明の属する技術分野】
本発明は、印刷機で枚葉紙又は折り丁を搬送するために設けられたコンベヤベルトのほぼ正弦状（正弦曲線状）の速度変化（速度変化特性曲線）を生ぜしめるための駆動装置に関する。
【０００２】
【従来の技術】
このような速度変化は特に、枚葉紙輪転印刷機の給紙部において、枚葉紙パイルから枚葉紙を個別に又は鱗状に印刷機に供給するコンベヤベルトで実施される。この場合、枚葉紙は、供給テーブルから印刷機に直接搬送する前に、いわゆるフロントゲージで整列される。各枚葉紙の枚葉紙前縁部がフロントゲージに当接する際に枚葉紙前縁部が傷まないようにするために、コンベヤベルトは正弦曲線状の速度変化特性曲線で減速される。
【０００３】
このような速度変化を実施するために、実願昭６１−８３９２４号公報によれば、別の偏向ローラを巡ってガイドされたエンドレスなコンベヤベルトの駆動ローラを、偏心的に支承された歯車によって駆動することが公知である。この場合、この実願昭６１−８３９２４号公報によれば、偏心的に支承された３つの歯車を備えた伝動装置系が設けられている。しかしながら実際には、互いに偏心的に噛み合う歯車を互いに正確に整列させることは非常に手間がかかる。
【０００４】
【発明が解決しようとする課題】
そこで本発明の課題は、コンベヤベルトの正弦状の速度変化を生ぜしめるための代わりの駆動装置を提供することである。
【０００５】
【課題を解決するための手段】
この課題は、本発明によれば、複数の駆動ホイールが引張手段によって駆動接続されていることによって解決された。
【０００６】
【発明の効果】
本発明の特別な利点は、設けられている複数の駆動ホイールが互いに直接噛み合うのではなく、引張手段例えば歯付きベルト、チェーン等を介して間接的に駆動接続されているという点にある。このような手段によって、駆動ホイールに対する質的な要求、つまり駆動ホイールの強度に関する質的な要求もまた駆動ホイールの精度に関する質的な要求もは小さくて済む。何故ならば引張手段は場合によっては生じる不正確さをその弾性によって補償することができるからである。組み付けは同様に簡単である。
【０００７】
第２の実施例においては、コンベヤベルトの駆動ローラのための駆動ホイールは円形に構成され、偏心的に支承されていて、印刷機によって一定速度で駆動される駆動ホイールは同様に円形に構成され、偏心的に支承されている。さらにまた、非円形の楕円形に構成された第３の偏向ホイールが設けられており、この第３の偏向ホイールは、共通の引張手段を常に一様に緊張保持している。
【０００８】
偏向ホイールは、旋回可能又は摺動可能に支承されていて、これによって同時に引張手段のための緊締ホイールとしても役立つ。
【０００９】
【発明の実施の形態】
本発明の実施の形態が、以下に図示の実施例を用いて具体的に説明されている。
【００１０】
輪転印刷機、例えば枚葉紙７を処理する印刷機１は、給紙部２と、少なくとも１つの印刷装置３若しくは４と、排紙部６とを有している。枚葉紙７は、枚葉紙パイル８に排紙され、個別に又は鱗状に供給テーブル９を介して印刷装置３及び４に供給される。印刷装置３，４は、公知の形式でそれぞれ版胴１１，１２を有している版胴１１，１２は、フレキシブルな版板を固定するための装置１３，１４をそれぞれ１つ有している。さらにまた、各版胴１１；１２には、半自動式又は全自動式の版板交換装置が配属されている。
【００１１】
枚葉紙パイル８は、制御された昇降可能なパイル用パレット１０を有している。枚葉紙の取り出しは、いわゆるサクションヘッド１８によって枚葉紙パイル１８の上側から行われる。サクションヘッド１８は特に、枚葉紙７を個別化するための複数の昇降式及び牽引式吸着装置１９，２１を有している。さらにまた、上側の枚葉紙層をほぐすためのブロー装置２２、及びパイルをガイドするための走査部材２３が設けられている。枚葉紙パイル８特に枚葉紙パイル８の上側の枚葉紙７を整列させるために、多数のサイドストッパ及びバックストッパが設けられている。
【００１２】
供給テーブル９は、特に少なくとも１つのコンベヤベルト２６を有しており、このコンベヤベルト２６は、駆動ローラ２７によって駆動せしめられる。エンドレスなコンベヤベルト２６は、供給テーブル９の端部に配置された変向ローラ２８に巻きかけられている。駆動ローラ２７は、１つの駆動軸２９又は軸端部を有している。この駆動軸２９又は軸端部に、歯付きベルト円板又はスプロケットの形状の非円形で楕円形の駆動ホイール３１が配置されている。駆動手段３１は、歯付きベルト又はチェーンとして構成された引張手段３２を介して、非円形で楕円形の第２の駆動ホイール３３と駆動接続しており、この駆動ホイール３３は第１の駆動ホイール３１に応じて構成されている。
【００１３】
第２の駆動ホイール３３は、印刷機によって一定速度で駆動される駆動軸３４に取り付けられている。印刷機による駆動は、歯車系、細長い軸又は歯付きベルト駆動装置によって行われる。例えば電動モータとして構成された固有の駆動装置も同様に可能である。
【００１４】
駆動ホイール３１，３２は、ほぼ楕円形の形状を有していて、互いに９０゜ずらして配置されている。印刷機によって一様に駆動される駆動ホイール３３は、引張手段３２によって駆動ホイール３１を駆動し、それによって正弦曲線状に変化する速度をコンベヤベルト２６の駆動軸２７に伝達する。
【００１５】
図３に示した第２実施例においては、駆動ローラ２７は、楕円形に配置された円形の駆動ホイール４１を有しており、この駆動ホイール４１は駆動軸２９に取り付けられている。駆動ホイール４１は引張手段３２によって、一定速度で駆動される駆動軸３４に偏心的に取り付けられた円形の駆動ホイール４３と駆動接続している。引張手段３２は、付加的に非円形に回転する補償ホイール４４に巻きかけられており、この補償ホイール４４は旋回可能又は摺動可能に支承されている。補償ホイール４４は、駆動ホイール４１，４３の各角度位置において引張手段３２の張力を一定に維持する。引張手段３２の後緊張は、補償ホイール４の調節によって行われる。また駆動ホイール４１，４３及び補償ホイール４４も、歯付きベルト円板又はスプロケットとして構成されている。
【００１６】
ホイールの正確な輪郭形状は、同じ形状で駆動される駆動ホイール３３において駆動ホイール３１が、ほぼ正弦曲線状の速度変化特性曲線を有し、駆動ベルトは常に一様に緊張維持されている。
【図面の簡単な説明】
【図１】本発明の１実施例による印刷機の概略的な側面図である。
【図２】印刷機の排紙部におけるコンベヤベルトの駆動ローラのための、第１実施例による駆動装置の概略図である。
【図３】第２実施例による駆動装置の概略図である。
【符号の説明】
１  印刷機、  ２  給紙部、  ３，４  印刷装置、  ６  排紙部、  ７  枚葉紙、  ７ａ  次の枚葉紙、  ８  枚葉紙パイル、  ９  供給テーブル、  １０  パイル用パレット、  １１，１２  版胴、  １６，１７  版板交換装置、  １８サクションヘッド、  １９  昇降式吸着装置、  ２１  牽引式吸着装置、  ２２  ブロー装置、  ２３  走査部材、  ２４  ストッパ、  ２６  コンベヤベルト、  ２７  駆動ローラ、  ２８  変向ローラ、  ２９  駆動軸、  ３１  駆動ホイール、  ３２  引張手段、  ３３  駆動ホイール、  ３４  駆動軸、  ４１，４３  駆動ホイール、  ４４  補償ホイール
【図１】
0003995148.tif 000002
【図２】
0003995148.tif 000003
【図３】
0003995148.tif 000004